【誤訳訂正書】
【提出日】平成27年8月24日(2015.8.24)
【誤訳訂正１】
【訂正対象書類名】特許請求の範囲
【訂正対象項目名】全文
【訂正方法】変更
【訂正の内容】
【特許請求の範囲】
【請求項１】
基板の第一表面と第二表面との間で前記基板を貫通して延びる第一チャネルと前記基板の第一表面と第二表面との間で前記基板を貫通して延びる少なくとも１つの第二チャネルとを含む、前記基板と；
第一液体を含む液体レンズ滴であって、その液体レンズ滴は前記基板を貫通して延びる前記第一チャネル内で保持されるものとし、前記液体レンズ滴は、前記基板の前記第一表面から突出している第一キャピラリー表面を有する第一ドロップレット部分と、前記基板の前記第二表面から突出している第二キャピラリー表面を有する第二ドロップレット部分とを含むものとし、そして、前記第一ドロップレット部分と前記第二ドロップレット部分とが前記の１つのチャネルを通じて連結しているものとする、前記液体レンズ滴と；
前記基板を少なくとも部分的に包囲し、そして、チャンバを含む筐体であって、ここで、前記基板を貫通して延びる前記第一チャネルが、前記筐体の前記チャンバ内に存在しているものとする、前記筐体と；
前記チャンバ内に配置される第二液体であって、ここで、前記第一液体を含む前記液体レンズ滴と前記第二液体とが、前記チャンバ内で動作可能なように結合しているものとする、前記第二液体と；
前記チャンバ内の前記第一チャネル内で前記液体レンズ滴の構成の調節を容易にするアクチュエータであって、ここで、前記アクチュエータが、前記少なくとも１つの第二チャネルのうちの１つの第二チャネルから突出しそこで保持される少なくとも１つの磁性流体滴を含み、その少なくとも１つの磁性流体滴を磁気的に調節することが可能であり、これによって前記チャンバ内に配置される前記第二液体を移動させることを容易にし、その結果前記第二液体に動作可能なように結合される前記液体レンズ滴の構成を調節するものとする、前記アクチュエータと；
を含む、非振動液体レンズ。
【請求項２】
前記少なくとも１つの磁性流体滴と前記第二液体とが前記チャンバ内で動作可能なように結合しており、その結果、アクチュエータを、筐体のチャンバ内に配置される第二液体を介して、前記第一チャネル内の液体レンズ滴へ動作可能なように結合する、請求項１に記載の非振動液体レンズ。
【請求項３】
前記少なくとも１つの磁性流体滴を安定な構成で保持するようにアクチュエータを構成し、これによって、選択された非対称構造における液体レンズ滴の維持を容易にする、請求項１に記載の非振動液体レンズ。
【請求項４】
基板の第一表面は、チャンバの第一チャンバ部分を規定することを容易にし、前記基板の第二表面は、前記チャンバの第二チャンバ部分を規定することを容易にし、そして、第二液体が、前記第一チャンバ部分及び前記第二チャンバ部分を実質的に充填する、請求項１〜３のいずれか１項に記載の非振動液体レンズ。
【請求項５】
第一液体を含む液体レンズ滴と第二液体とが、第一チャンバ部分内で直接接触し、第二チャンバ部分内で直接接触し、そして、非混合性である、請求項４に記載の液体レンズ。
【請求項６】
前記アクチュエータが少なくとも１つの電磁石を更に含み、この電磁石が、前記少なくとも１つの第二チャネル内で保持される前記少なくとも１つの磁性流体滴の前記磁性流体を前記第一チャンバ部分と前記第二チャンバ部分との間で移動させ、これによって前記チャンバ内の前記第一チャネル内で保持される前記液体レンズ滴の構成を調節し、その結果液体レンズの焦点距離を調節するものとする
、請求項４に記載の非振動液体レンズ。
【請求項７】
アクチュエータが複数の電磁石を更に含み、前記複数の電磁石が、チャンバの第一及び第二チャンバ部分の間で、選択された構成における少なくとも１つの第二チャネル内で保持される少なくとも１つの磁性流体滴の磁性流体を移動させ、そして、このようにして、前記選択された構成において液体レンズ滴を維持する、請求項６に記載の非振動液体レンズ。
【請求項８】
アクチュエータが複数の磁性流体滴を更に含み、前記複数の磁性流体滴は基板の第一表面と第二表面との間で前記基板を貫通して延びている複数の第二チャネル内で保持され、各磁性流体滴は、複数の第二チャネルのそれぞれの第二チャネルの直径に対して規定される臨界体積よりも大きい体積を含み、そして、双安定キャピラリースイッチングエレメントとして機能し、各双安定キャピラリースイッチングエレメントは、前記磁性流体滴が主に前記第一チャンバ部分に存在する第一状態と、前記磁性流体滴が主に第二チャンバ部分に存在する第二状態との間でトグリングすることができ、液体レンズの焦点距離のチューニングを容易にするために、前記複数の磁性流体滴の内の１つの磁性流体滴を前記複数の磁性流体滴の内の別の磁性流体滴とは個別に切り替え可能である、請求項６に記載の非振動液体レンズ。
【請求項９】
アクチュエータが少なくとも１つの双安定キャピラリースイッチエレメントを更に含み、前記双安定キャピラリースイッチエレメントは、チャンバ内に配置され、前記少なくとも１つの双安定キャピラリースイッチエレメントと前記第二液体とが前記チャンバ内で動作可能なように結合し、その結果、前記少なくとも１つの双安定キャピラリースイッチエレメントが、前記チャンバ内に配置される第二液体を介して液体レンズ滴へ動作可能なように結合される、請求項１〜３のいずれか１項に記載の非振動液体レンズ。
【請求項１０】
第一液体が高屈折率液体を含み、そして、第二液体が水を含む、請求項１〜３のいずれか１項に記載の非振動液体レンズ。
【請求項１１】
前記基板が、第一チャネルでの基板のエッジ部で液滴が固定されたままであることを容易にするように選択される非湿潤性材料を含む、請求項１〜３のいずれか１項に記載の非振動液体レンズ。
【請求項１２】
筐体が、液体レンズ滴の少なくとも第一ドロップレット部分又は第二ドロップレット部分にわたって配置される透明なハウジング部分を含み、そして、チャンバが密封チャンバである、請求項１〜３のいずれか１項に記載の非振動液体レンズ。
【請求項１３】
非振動液体レンズ及び少なくとも１つのイメージセンサーを含むイメージングシステムであり、
前記非振動液体レンズは：
基板の第一表面と第二表面との間で前記基板を貫通して延びている第一チャネルと前記基板の第一表面と第二表面との間で前記基板を貫通して延びている少なくとも１つの第二チャネルとを含む、前記基板と；
第一液体を含む液体レンズ滴であって、その液体レンズ滴は、前記基板を貫通して延びている第一チャネル内で少なくとも部分的に保持されるものとし、前記液体レンズ滴は、前記基板の前記第一表面から突出している第一キャピラリー表面を有する第一ドロップレット部分と、前記基板の前記第二表面から突出している第二キャピラリー表面を有する第二ドロップレット部分とを含むものとし、そして、前記第一ドロップレット部分と前記第二ドロップレット部分とが前記の１つのチャネルを通じて連結しているものとする、前記液体レンズ滴と；
前記基板を少なくとも部分的に包囲し、そして、チャンバを含む筐体であって、ここで、前記基板を貫通して延びる前記第一チャネルが、前記筐体の前記チャンバ内に存在しているものとする、前記筐体と；
前記チャンバ内に配置される第二液体であって、ここで、前記第一液体を含む前記液体レンズ滴と、前記第二液体とが、前記チャンバ内で動作可能なように結合しているものとする、前記第二液体と；
前記チャンバ内の前記第一チャネル内で前記液体レンズ滴の構成の調節を容易にするアクチュエータであって、ここで、前記アクチュエータが、前記少なくとも１つの第二チャネルのうちのの１つの第二チャネルから突出しそこで保持される少なくとも１つの磁性流体滴を含み、その少なくとも１つの磁性流体滴を磁気的に調節することが可能であり、これによって前記チャンバ内に配置される前記第二液体を移動させることを容易にし、その結果前記第二液体に動作可能なように結合される前記液体レンズ滴の構成を調節するものとする、前記アクチュエータと；
を含む前記液体レンズであり、そして、
前記少なくとも１つのイメージングセンサーは、少なくとも１つのイメージング経路へ結合しているものとし、そして、前記イメージング経路は、前記第一チャネル内の前記液体レンズ滴の前記第一及び第二ドロップレット部分を通過して、前記液体レンズ滴の前記第一及び前記第二ドロップレット部分を通じて画像を取得するものとする、前記イメージングセンサーである、
前記イメージングシステム。
【請求項１４】
前記少なくとも１つの磁性流体滴と前記第二液体とが前記チャンバ内で動作可能なように結合しており、その結果、アクチュエータが、筐体のチャンバ内に配置される第二液体を介して、前記第一チャネル内で保持される液体レンズ滴へ動作可能なように結合する、請求項１３に記載のイメージングシステム。
【請求項１５】
前記少なくとも１つの磁性流体滴を安定な構成で保持するようにアクチュエータを構成し、これによって、選択された非対象構造において液体レンズ滴を維持することを容易にする、請求項１３に記載のイメージングシステム。
【請求項１６】
基板の第一表面はチャンバの第一チャンバ部分を規定することを容易にし、前記基板の第二表面は前記チャンバの第二チャンバ部分を規定することを容易にし、第二液体は前記第一チャンバ部分及び前記第二チャンバ部分を実質的に充填する、請求項１３〜１５のいずれか１項に記載のイメージングシステム。
【請求項１７】
第一液体を含む液体レンズ滴と前記第二液体とが、前記第一チャンバ部分内で直接接触し、前記第二チャンバ部分で直接接触し、そして、非混合性である、請求項１６に記載のイメージングシステム。
【請求項１８】
前記アクチュエータが少なくとも１つの電磁石を更に含み、この電磁石が、前記少なくとも１つの第二チャネル内で保持される前記少なくとも１つの磁性流体滴の前記磁性流体を前記第一チャンバ部分と前記第二チャンバ部分との間で移動させ、これによって前記チャンバ内の前記第一チャネル内で保持される前記液体レンズ滴の構成を調節し、その結果、液体レンズの焦点距離を調節するものとする
、請求項１６に記載のイメージングシステム。
【請求項１９】
アクチュエータが少なくとも１つの双安定キャピラリースイッチエレメントを更に含み、前記双安定キャピラリースイッチエレメントは、チャンバ内に配置され、前記少なくとも１つの双安定キャピラリースイッチエレメントと前記第二液体とが前記チャンバ内で動作可能なように結合し、その結果、前記少なくとも１つの双安定キャピラリースイッチエレメントが、前記チャンバ内に配置される第二液体を介して液体レンズ滴へ動作可能なように結合される、請求項１３〜１５のいずれか１項に記載のイメージングシステム。
【請求項２０】
筐体が、液体レンズ滴の第一ドロップレット部分又は第二ドロップレット部分の少なくとも１つにわたって配置される透明なハウジング部分を含み、そして、チャンバが密封チャンバである、請求項１３〜１５のいずれか１項に記載のイメージングシステム。
【請求項２１】
液体レンズの非振動液体レンズ滴の構成を調節する工程；及び
前記液体レンズ滴の第一又は第二ドロップレット部分の少なくとも１つを通過するイメージ経路を介して少なくとも１つの画像を取得する工程；
を含むイメージング方法であって、前記調節工程において、
前記液体レンズは、基板の第一表面と第二表面との間に延びているチャネルを規定する前記基板を含むものとし、前記液体レンズ滴は前記チャネル内で少なくとも部分的に保持されるものとし、前記液体レンズ滴は、前記基板の前記第一表面から突出している第一キャピラリー表面を含む第一ドロップレット部分と、前記基板の前記第二表面から突出している第二キャピラリー表面を含む第二ドロップレット部分とを含むものとし、前記液体レンズ滴の前記第一及び第二ドロップレット部分は前記チャネルを通じて連結しているものとし、前記液体レンズは筐体を更に含むものとし、前記筐体は、チャンバを含み、そして、前記基板を少なくとも部分的に包囲するものとし、１つのチャネルが第二液体を含む前記チャンバ内に存在するものとし、第一液体を含む前記液体レンズ滴と前記第二液体とが前記チャンバ内で動作可能なように結合しているものとし、そして、調節は、前記第一ドロップレット部分又は前記第二ドロップレット部分の少なくとも１つに第二液体を介して力を付与して、前記チャネル内で前記液体レンズ滴を再構成させて、それによって前記液体レンズの焦点距離を調節するもとのする、
前記イメージング方法。
【請求項２２】
第一液体を含む液体レンズ滴と前記第二液体とが、前記チャンバ内で直接接触し、そして、非混合性である、請求項２１に記載のイメージング方法。
【請求項２３】
液体レンズを製造する方法であって：
液体レンズ滴に対して非湿潤性の基板を得る工程；
前記基板の第一表面から第二表面へ延びている第一チャネルを前記基板に提供し、そして前記基板の第一表面から第二表面へ延びている少なくとも１つの第二チャネルを前記基板に提供する工程；
第一チャネル内に、第一液体を含む前記液体レンズ滴を提供する工程、ここで、前記液体レンズ滴は、前記基板の前記第一表面から突出している第一キャピラリー表面を有する第一ドロップレット部分と、前記基板の前記第二表面から突出している第二キャピラリー表面を有する第二ドロップレット部分とを含むものとし、前記第一ドロップレット部分と前記第二ドロップレット部分とが前記第一チャネルを通じて連結しているものとする、前記工程；
前記基板を貫通して延びている前記の１つのチャネルを包囲するチャンバを含む筐体を提供する工程、ここで、前記基板の前記第一表面は、前記チャンバの第一チャンバ部分を規定することを容易にし、前記基板の前記第二表面は、前記チャンバの第二チャンバ部分を規定することを容易にし、前記第一ドロップレット部分が前記チャンバの前記第一チャンバ部分内にあり、そして、前記第二ドロップレット部分が前記チャンバの前記第二チャンバ部分内にあるものとする、前記工程； 
前記チャンバの前記第一チャンバ部分及び前記第二チャンバ部分内に第二液体を配置する工程、ここで、前記第二液体と前記液体レンズ滴とが、前記チャンバ内で動作可能なように結合しているものとする、前記工程；及び
前記少なくとも１つの第二チャネル内に保持される少なくとも１つの磁性流体滴を含むアクチュエータを提供する工程、ここで、前記少なくとも１つの磁性流体滴と前記第二液体とが前記チャンバ内で動作可能なように結合し、その結果前記アクチュエータが、前記液体レンズ滴の構成を調節するために、前記液体レンズ滴の前記第一ドロップレット部分又は前記第二ドロップレット部分の少なくとも１つへ動作可能なように結合するものであり、そして前記液体レンズ滴の構成の調節が前記液体レンズの焦点距離の調節であるものとする、前記工程；
を含む、前記方法。
【請求項２４】
第一液体を含む液滴と第二液体とが、非混合性であり且つ直接接触しており、前記基板の第一表面がチャンバの第一チャンバ部分を規定することを容易にし、前記基板の第二表面が前記チャンバの第二チャンバ部分を規定することを容易にし、前記第二液体が前記第一チャンバ部分及び前記第二チャンバ部分を実質的に充填し、そして、アクチュエータを提供する工程が：前記少なくとも１つの第二チャネル内で前記少なくとも１つの磁性流体滴を提供し、この結果、前記少なくとも１つの磁性流体滴が前記チャンバの前記第一及び第二チャンバ部分の間で調節される際に、前記チャンバの前記第一及び第二チャンバ部分内で前記液体レンズ滴を移動させるものとする、前記工程；及び
前記少なくとも１つの磁性流体滴を少なくとも１つの前記第二チャネル内で調節するための電磁石を提供する工程であって、それによって前記第一チャネル内で前記液体レンズ滴を再構成する、前記工程；
を含む、請求項２３に記載の方法。
【誤訳訂正２】
【訂正対象書類名】明細書
【訂正対象項目名】００１９
【訂正方法】変更
【訂正の内容】
【００１９】
【図５】本発明の１つ以上の観点による、再構成可能な液体レンズの複数の双安定キャピラリースイッチングエレメントの種々のトグリングに応答する、図４Ａ〜図４Ｃに表示される再構成可能な液体レンズ構造を使用して得られる種々の焦点距離のプロットを示すグラフである。
【誤訳訂正３】
【訂正対象書類名】明細書
【訂正対象項目名】００２１
【訂正方法】変更
【訂正の内容】
【００２１】
【図６Ｂ】本発明の１つ以上の観点による、図６Ａの線４Ｃ−４Ｃによる図６Ａのパッケージ化されたイメージングシステムの図であり、そこに含まれる再構成可能な液体レンズ構造を使用するイメージングシステムの或る実施態様の内包物を示す。
【誤訳訂正４】
【訂正対象書類名】明細書
【訂正対象項目名】００３３
【訂正方法】変更
【訂正の内容】
【００３３】
本明細書中に記載される或る実施態様では、２つの電磁石が少なくとも１つの磁性流体滴の上下にそれぞれ１つずつ位置づけされて、例えば、非対称構成における少なくとも１つの磁性流体滴の再構成及び保持を容易にし、従って、液体レンズ滴を再構成し、そして、安定的（静的）に維持する。本明細書中に記載される別の実施態様では、複数の磁性流体滴を基板中の複数の第二チャネル（又は開口部）内で保持することがある。複数の磁性流体滴の各磁性流体滴はそのチャネル（又は開口部）に対して十分に大きいサイズであり、双安定キャピラリースイッチングエレメントとして作用する。これによって、例えば、複数の磁性流体滴と関連する１つ以上の電磁ドライバへＤＣパルスを付与して１つ以上の双安定磁性流体スイッチングエレメントの状態を移行させることによって、非振動液体レンズを制御可能に再構成することが可能である。
【誤訳訂正５】
【訂正対象書類名】明細書
【訂正対象項目名】００３５
【訂正方法】変更
【訂正の内容】
【００３５】
図１Ａは、本発明の１つ以上の観点による液体レンズ構造（多くの場合、符号１００で表わされる）の或る実施態様を表す。液体レンズ構造１００は、本明細書中において液体−液体レンズ構造又は非振動液体レンズ構造と代替的に称され、そして、向かい合っている第一主要表面１１１及び第二主要表面１１２それぞれをもつ基板１１０を含む。基板１１０は、周囲の液体（例えば、水）の存在下で、レンズ及びドライバ液に関して非湿潤性（non-wetting）であり、そして、或る実施例において、疎水性材料（例えば、陽極酸化アルミニウム）を含む。基板１１０それ自体は、前記非湿潤性材料から形成されるか、又は、本明細書中に記載の１つ以上のチャネル（又は開口部）内を含み非湿潤性材料でコーティングされることもある。図示された実施例において、基板１１０は、第一主要表面１１１と第二表面１１２との間で前記基板を貫通して延びている第一チャネル１１３及び第二チャネル１１４を含む。これらの第一チャネル１１３及び第二チャネル１１４は、一例としてのみ示される。その他の実施形態（implementations）では、本明細書中に記載の液体レンズ部分か、又は、液体−液体レンズシステムのアクチュエーション部分のいずれかに複数のチャネルの配置を提供することがある。例えば、その他の実施形態では、液体レンズ部分又は前記構造のアクチュエーション部分のいずれか又は両方に複数のチャネルを提供することがあり、前記チャネルの各々は、所望により、共通の横断面積（例えば、共通の直径）か、又は、種々の横断面積（例えば、種々の直径）を有することがある。種々の断面積を有するチャネル又は同一の断面積のチャネルから突出する液体の種々の量を有するチャネルを提供することによって、結合したドロップレット（coupled droplets）の配置は、種々の焦点調節特性又は種々のスイッチ特性を達成することがある。
【誤訳訂正６】
【訂正対象書類名】明細書
【訂正対象項目名】００３６
【訂正方法】変更
【訂正の内容】
【００３６】
液体レンズ滴１２０は、基板１１０の第一チャネル１１３内で保持される。例として、液体レンズ滴（液体レンズシステムのレンズ部分として機能する）に対応する各チャネルは、基板を貫通する円筒形の孔（又は穴）を含むことがあり、ここで、各液滴は、例えば、透明液体（例えば、シリコーン油）の滴である。（当業者は、その他の液体を液体レンズとして代替的に使用できることを留意するであろう。）基板１１０が非湿潤性であるため、液体レンズ滴１２０は基板上に広がらず、そして、筐体１４０（下記に記載される）により規定されるチャンバ内の第二液体１３０（例えば、水）と、液体レンズ滴１２０と、基板１１０との間の液体−液体−固体接触線が、第一チャネル１１３のエッジ部１２１で固定（pinned）される。液体レンズ滴１２０は、第一ドロップレット部分２０１（図２Ａ及び図２Ｂ参照）及び第二ドロップレット部分２０２（図２Ａ及び図２Ｂ）を含むものとして特徴づけられることができ、前記第一ドロップレット部分２０１は、基板１１０の第一表面１１１から突出する第一キャピラリー表面を含み、そして、前記第二ドロップレット部分２０２は、基板１１０の第二表面１１２から突出する第二キャピラリー表面を含む。この実施態様では、液滴１２０の第一キャピラリー表面及び第二キャピラリー表面によって、液体レンズ滴と第二液体とは直接接触し、そして、非混合性である。前記第一キャピラリー表面及び第二キャピラリー表面は、本明細書中に記載の液体−液体レンズの液体対液体界面（liquid-to-liquid interface surfaces）であり、これは、上記の通り、表面張力のためにほぼ完全な球形状である。液滴１２０の第一及び第二ドロップレット部分２０１，２０２（図２Ａ及び図２Ｂ）は、基板１１０の第一チャネル１１３内に保持される液体レンズ滴１２０の液体部分を通じて直接連結（すなわち、相互連結）している。
【誤訳訂正７】
【訂正対象書類名】明細書
【訂正対象項目名】００４１
【訂正方法】変更
【訂正の内容】
【００４１】
図１Ｂは、本発明の１つ以上の観点による液体レンズ構造１００を組み立てるための或る実施態様を示す。この構造及び製造方法が例としてのみ提供されていることに留意されたい。製造プロセスは、以下を含む：
●基板１１０の第一チャネル１１３及び第二チャネル１１４を予め湿らせて、これらのチャネルにおいてそれぞれの液体が湿らせることを確実にする。これを達成するために、基板を貫通するチャネルに、第一液体（第一チャネル１１３内）又は磁性流体（第二チャネル１１４内）のそれぞれを付与（swabbed with）することがある。このプロセスの間で、基板１１０の第一主要表面１１１及び第二主要表面１１２には、いずれの流体も接触させない。なぜなら、チャネルの外側に液体が塗布されれば、固定が難しくなるからである。基板を乾燥させ、液体の残余物をそのままにしておき（いずれのチャネル内にもごく少量が存在することが望ましい）、油を使用する場合には、完全に乾燥させない。
●次に、筐体１４０の側壁２つにおける出っ張り部１４２より上も含めて、筐体１４０を非混合性第二流体１３０で充填する（図１Ａ参照）。液体−液体レンズ構造に部品（piece）を加える際に第二流体があふれ出ることが分かっていて、筐体のチャンバ全体を充填することが可能であることを留意されたい。
●次に、基板１１０を液体で充填された筐体内に置き、前記基板を斜めに保持して、気泡が前記基板の下に閉じ込められていないことを確実にする。基板を平坦な出っ張り部１４２に置き、そして、そこへ固定して、非混合性の第二液体が基板を取り囲むことを確実にする。
●次に、シリンジを使用して、第一液体で第一チャネル１１３を充填し始めることがある。シリンジの先端をチャネルに対して接触させて、キャピラリー表面が直径にわたって完全に形成されるまで、流体を注入しながら外周の周りで作業する（working around the circumference）ことによって開始する。このことが起こった後で、シリンジ先端を静止させ続け、そして、カラムへ流体を注入することによって、充填手順を完了させることができる。
●結合したドロップレットの各ペアが固定されることを確実にするために、ドロップレットは、チャネルの端部を超えて過充填される必要がある。すべての領域が固定されていない場合、シリンジ先端をチャネルの縁の周囲で円を描くように動かして（より多くの液体を追加しないように）、そして、同様に、基板１１０の第一主要表面又は第二主要表面に接触させないようにする。
●一連の結合したドロップレットについての固定が確立された後で、体積を設定することができ；例えば、シリンジ上の計量を使用することによって、又は、外観検査を介して、各々の結合したドロップレットの体積を設定することができる。体積の外観検査では、チャネルの半径（ａ）を把握し、そして、球状キャップの公式化「Ｖ＝１／６πｈ（ａ２＋ｈ２）」を使用して、各ドロップレットの高さ（ｈ）を断面図から見出して、体積を決定することができる（例えば、カメラ及びＬａｂＶｉｅｗを使用して達成される）。
●同じ手順をその後に続けて磁性流体滴を確立する。
●結合したドロップレットの両方のセットを充填して固定した後、次に、筐体内で過充填状態（凸面メニスカス）に達するまで、非混合性の第二流体を加えて、結合したドロップレットの２つのセットを分裂させないようにする。
●最後に、筐体１４０の最上部１４１を、例えば、筐体上へ斜めに置くことによって、筐体上で固定して、最上部１４１が密封することにより、レンズシステムに気泡を導入しないように、そして、非混合性の第二液体（すなわち、周囲液体）が移動しないようにすることができる。最上部１４１を筐体のバランス（balance）に取り付けて、流体密封の密閉されたチャンバを筐体内に形成する。
【誤訳訂正８】
【訂正対象書類名】明細書
【訂正対象項目名】００４５
【訂正方法】変更
【訂正の内容】
【００４５】
図３は、例えば、図１Ａ〜図２Ｂに関して上記に記載の再構成可能な液体レンズ構造１００を使用するイメージングシステム（多くの場合、符号３００で表される）を示す。上記の通り、液体レンズ構造１００は、基板を貫通する少なくとも１つの第一チャネル及び少なくとも１つの第二チャネルを含む基板１１０を含む。本明細書中に記載の通り、前記第一チャネルは、液体レンズとして機能する少なくとも１つの液体レンズ滴１２０を含有し、そして、前記第二チャネルは、液体レンズの再構成を容易にする少なくとも１つの磁性流体滴１５１を含有する。液体レンズ構造は、密封チャンバを規定する筐体１４０を更に含み、前記密封チャンバは、基板の両側で、第一チャンバ部分１３１及び第二チャンバ部分１３２を含み、これらの両方は、第二液体（例えば、水）で充填される。基板は非湿潤性であり、そして、液滴１２０及び磁性流体滴１５１は、基板１１０を通じて、これらのチャネルのそれぞれのエッジ部で固定される。
【誤訳訂正９】
【訂正対象書類名】明細書
【訂正対象項目名】００４８
【訂正方法】変更
【訂正の内容】
【００４８】
図４Ａ〜４Ｃは非振動液体レンズ構造４００の代替的な実施態様を示す。前記非振動液体レンズ構造４００は、図１Ａ〜図３に関して上述されるものと同様のものであるが、各々が十分な磁性流体体積で構成されており双安定キャピラリースイッチエレメントとして機能する複数の磁性流体滴１５１を有する。全て図示されるように、この実施態様では、各々の磁性流体滴１５１が、前記磁性流体滴の上下に配置される電磁石１５２，１５２’それぞれによって動かされる。各磁性流体滴１５１は、その滴が保持されるそれぞれのチャネル（又は開口部）に関して臨界体積よりも大きい全体積で提供される。このことは、同様に、各磁性流体滴が双安定キャピラリースイッチエレメントとして機能し、そして、以下の２つの状態のうちのいずれかの間でスイッチされることがある；すなわち、上方状態又は下方状態のいずれかであって、上方状態では、液体レンズ構造の第一チャンバ部分１３１内により大きな磁性流体体積が存在し、そして、下方状態では、液体レンズ構造４００の第二チャンバ部分１３２内により大きな磁性流体体積が存在する。
【誤訳訂正１０】
【訂正対象書類名】明細書
【訂正対象項目名】００４９
【訂正方法】変更
【訂正の内容】
【００４９】
上方及び下方状態の間での磁性流体滴内の磁性流体の運動は、基板１１０の上下の液体レンズ滴１２０の第一及び第二ドロップレット部分２０１，２０２における第一流体の配分に相応に影響を及ぼし、そして、それを制御する。１つ以上の磁性流体滴を選択的にアクティブ化して、例えば図４Ａに示される上方状態から図４Ｃに示される下方状態へ磁性流体滴を切り替えることによって、液体レンズの再構成を達成する。これは、１つには、上側チャンバ部分１３１及び下側チャンバ部分１３２を含むチャンバ内に含有される第二流体（例えば、水）の非圧縮性性質によるものである。電磁石１５２，１５２’を（図１Ａ〜図３に関して上述したように）選択的に励磁して、磁性流体滴１５１それぞれの構成を調節するか、又は、より詳細には（この実施例において）上方状態及び下方状態の間で磁性流体滴を切り替えることがある。磁性流体体積が臨界体積よりも少ない場合、磁性流体滴は図１Ａ〜図３に関して上述されるものと同様の方法で制御されることがあり、そして、１つの磁性流体滴を有するよりも、複数の磁性流体滴及び複数の電磁ドライブを提供することがあることに留意されたい。双安定キャピラリースイッチエレメントとして機能するのに十分な体積を磁性流体滴に提供することによって、いったん状態を切り替えて液体レンズ滴の所望の構成が達成されると、電磁ドライバのそれぞれの励磁を維持する必要がないという更なる利点が提供される。
【誤訳訂正１１】
【訂正対象書類名】明細書
【訂正対象項目名】００５３
【訂正方法】変更
【訂正の内容】
【００５３】
上述の通り、図６Ａ及び図６Ｂの実施態様において、電磁石１５２，１５２’を使用して、結合した磁性流体滴のそれぞれに引張力を生じさせることにより磁性流体滴（すなわち、液体レンズ滴を含む密封チャンバ内の磁性流体ドライブ）の位置を制御して、第一チャンバ体積をより大きくするか、又は、第二チャンバ体積を大きくするかのいずれかを引き起こすことがある。このことは、同時に、第二チャンバ部分１３２又は第一チャンバ部分１３１においてより大きな体積をそれぞれ有することによって、液体レンズ滴の突出体積を変化させる。液体レンズ滴をそのように移動させることにより、レンズの曲率半径を操作し、このことは、同時に、物体の焦点距離を変化させる。従って、液体レンズの一方の側にイメージセンサーを配置し、そして、もう一方の側に任意の光学部品を配置することによって、種々の焦点距離で物体に焦点を合わせることができる。また、双安定キャピラリースイッチングエレメント（各々は、それぞれの臨界体積よりも大きい体積を有する）の配置を使用することによって、スイッチをトグリングした後で電磁石による追加の力を必要とすることなく再構成性を達成することができることに留意されたい。臨界未満の磁性流体滴の体積では、非対象形状を維持するために、２つの向き合っている電磁石のうちの少なくとも１つの励磁を維持する必要がある。
【誤訳訂正１２】
【訂正対象書類名】明細書
【訂正対象項目名】００５４
【訂正方法】変更
【訂正の内容】
【００５４】
更なる例として、図７Ａ〜図７Ｆは、別の再構成可能な液体レンズ構造及び図示された双安定磁性流体スイッチエレメントのトグリングの或る実施態様を示す。この実施態様では、複数の磁性流体滴１５１を使用し、各々の磁性流体滴は、双安定キャピラリースイッチエレメントとして機能するのに十分な磁性流体体積を有する。各磁性流体滴１５１は、それぞれの第二チャネル内において、結合した磁性流体ドロップレットの１つのペアを含む。この実施態様では、例えば、整列した電磁ドライブ１５２，１５２’の中心軸から外側に向かってらせん状７０１の構成の磁性流体滴１５１の戦略的配置をともなって、電磁石１５２，１５２’の１つのペアを使用する。図７Ａ及び図７Ｂに示される操作上の例では、スイッチエレメントがすべて上方状態に設定されており、これは液体レンズ滴１２０の第二ドロップレット部分２０２における第一液体の体積が最大であることを意味する。下側電磁石１５２’が励磁されると、図７Ｃ及び図７Ｄに示されるように、整列電磁石１５２，１５２’の中心軸に最も距離の近いスイッチが初めに下方状態へ切り替えられ、ここでは、磁性流体のより大きい体積が、第一ドロップレット部分２１０よりも第二ドロップレット部分２１１へ配置される。電磁石１５２’への電力が増加（そして、電磁石１５２には電力が必要ない）し続けると、図７Ｅ及び図７Ｆに示されるように、全ての磁性流体滴が下方状態へトグリングされる。有利には、１つ以上の磁性流体滴をトグリングした後で、電磁ドライバ１５２を無励磁にすることができ、この実施態様で説明される磁性流体滴の双安定性により、液体レンズ滴は所望の形状を保持する。
【誤訳訂正１３】
【訂正対象書類名】明細書
【訂正対象項目名】００５６
【訂正方法】変更
【訂正の内容】
【００５６】
図９は、例えば、本明細書中に記載の非振動液体レンズを使用するイメージング方法の或る実施態様を示す。イメージング方法９００は、例えば本明細書中に記載の液体−液体レンズ９１０の固定接触液体レンズ滴の構成を調節すること、そして、液体レンズ滴９２０によって１つ以上の画像を取得することを含む。具体的には、１つ以上の画像が、レンズ滴の第一ドロップレット部分及び第二ドロップレット部分を通じて取得され、前記第一ドロップレット部分及び第二ドロップレット部分は、液体レンズ滴が保持されるチャネルを含む基板の第一表面及び第二表面のそれぞれを超えて広がっている。取得された画像は場合によりコントローラーへと転送され、（或る実施態様において）前記コントローラーは、１つ以上の画像基準（例えば、画像の鮮鋭度）に基づいて取得された画像を評価９３０する論理回路を含むコンピューターを含む。デジタル画像の評価は、当業者が既存の画像分析ソフトウェアをある程度使用することによって容易に達成することができる。次に、取得された１つ以上の画像は、評価に基づいて、１つ以上の最終画像として選択９４０される。実施に応じて、最終画像を組み合わせることがある。
【誤訳訂正１４】
【訂正対象書類名】明細書
【訂正対象項目名】００５７
【訂正方法】変更
【訂正の内容】
【００５７】
当業者は、本明細書中に記載の再構成可能な固定接触液体−液体レンズが、焦点距離を変更することが必要な場合に、イメージングシステムにとって新たな解決策を提供することを留意するであろう。液体レンズは、本明細書に記載のような、非侵襲性の作動アプローチをともなう小型及び軽量パッケージで製造することができる。有利には、再構成メカニズムにおいて比較的小さい電圧レベルを使用して、液体レンズの適用を実用的にすることができる。
【誤訳訂正１５】
【訂正対象書類名】明細書
【訂正対象項目名】００５８
【訂正方法】変更
【訂正の内容】
【００５８】
本明細書中には、再構成を通じて或る範囲における任意の画像平面を取得することのできる、適応焦点距離を有する液体レンズが記載される。レンズは、非湿潤性基板に対して存在する固定接触線によって、円筒形チャネル（又は孔）を通じて結合している２つのドロップレット部分を特徴とする。非圧縮性の第二液体は、閉塞チャンバ内の液体レンズを包囲する。（或る実施態様において）非侵襲性電磁ドライブを使用して、基板の第二円筒形チャネル（又は孔）における結合した磁性流体ドロップレットを調節する。磁性流体ドロップレットの調節は、非圧縮性の周囲液体を介して、液体レンズドロップレットの相当する再構成を引き起こす。ドロップレット部分の屈曲部の変化によって、焦点距離の変化が引き起こされる。提示される液体レンズは、非常にわずかなインプットで再構成することのできる、結合ドロップレットシステムである。
【誤訳訂正１６】
【訂正対象書類名】明細書
【訂正対象項目名】００５９
【訂正方法】変更
【訂正の内容】
【００５９】
有利には、本明細書に記載の液体レンズ構造を使用してセンチメートルスケールの開口部を得ることができる。スケールが十分に小さく、その結果、重力が支配的でない場合に、結合ドロップレット液体レンズ（固定接触線を有する）は表面張力に対して流体慣性のバランスを取る。実験結果は、ミリメートルスケールの液体レンズ及びセンチメートルスケールのレンズが実用的であることを示した。
【誤訳訂正１７】
【訂正対象書類名】明細書
【訂正対象項目名】００６１
【訂正方法】変更
【訂正の内容】
【００６１】
当業者は、本明細書中に記載の結合ドロップレットシステムを数多くの用途に適用することができることに留意されたい。前記用途としては、例えば、携帯電話、ビデオ記録装置、及びビデオ記録性能を有するその他の小型軽量消費財を挙げることができる。その他の用途としては、例えば、高速適応イメージング、ビデオカメラ、及びエネルギー消費に重点を置いた負担の少ない用途のための再設定性及びレンズの配置によるその他の３Ｄ画像再構成を挙げることができる。例えば、その他の用途としては、正面（又は下方）のヴィジョンだけではない多くの方向におけるイメージング性能からの恩恵を受ける、監視及び防衛用の自律超小型飛行機を挙げることができる。提示される比較的小型且つ高いエネルギー効率の液体−液体レンズは、これらのレンズのいくつかをこのような小型車両へ搭載して、高速焦点調節性能による全ての方向でのイメージングを実現することに適当である。
【誤訳訂正１８】
【訂正対象書類名】図面
【訂正対象項目名】図９
【訂正方法】変更
【訂正の内容】
【図９】
2013540280.tif 000001